(57)【要約】【目的】液体注出動作の終了直後にもカップの縁を汚すことがないカップ式飲料自動販売機の注出ノズルを提供することを目的とする。【構成】炭酸水ノズル４０の吐出口４１の外形下端にカップ３の外方に向けて下向きに傾斜する液体誘導溝４５を設けた底面４４を有する液体ガイド４３を設けたので、炭酸水注出動作時は図中実線矢印で示すように炭酸水をカップ３内に注出することができ、炭酸水注出動作の終了直後に後垂れする炭酸水の液滴は、図中点線矢印で示すように液体ガイド４３の傾斜する底面４４の液体誘導溝４５に沿わせて流下させてカップ３外に滴下させる。【選択図】        図３
2007141147.tif 000002
【特許請求の範囲】
【請求項１】
機内で調理した飲料や希釈水などの液体をカップに注出して販売に供するカップ式飲料自動販売機の注出ノズルであり、該注出ノズルの吐出口をカップの内方に向けて前傾姿勢に配設したものにおいて、
前記注出ノズルの吐出口外形下端に前記カップの外方に向けて下向きに傾斜する底面を有する液体ガイドを設け、前記液体注出動作の終了直後に後垂れする液体の液滴を該液体ガイドの傾斜する底面に沿わせて流下させて前記カップ外に滴下させるようにしたことを特徴とするカップ式飲料自動販売機の注出ノズル。
【請求項２】
前記液体ガイドの底面に前記カップの外方に向けて下向きに傾斜する液体誘導溝を設けたことを特徴とする請求項１記載のカップ式飲料自動販売機の注出ノズル。
【発明の詳細な説明】
【技術分野】
【０００１】
本発明は、機内で調理した飲料や希釈水などの液体をカップに注出して販売に供するカップ式飲料自動販売機の注出ノズルに関するものである。
【背景技術】
【０００２】
従来より、カップ式飲料自動販売機ではカップを載置するベンドステージにホット飲料ノズル、シロップノズル、コールド飲料用の希釈冷水ノズル、炭酸水ノズルなどの各ノズルの吐出口をカップの内方に向けて前傾姿勢に配設している。
かかる構成で、ホット飲料はブリュアで抽出したレギュラーコーヒーとパウダキャニスタから供給した粉末原料および温水タンクから供給した湯をミキシングボールで攪拌してホット飲料を調理した後にホット飲料ノズルからカップに注出する。一方、シロップ飲料などのコールド飲料は、濃縮シロップ、希釈冷水、炭酸水および氷をカップの中に直接供給し、カップ内で原料を攪拌してコールド飲料とするようにしている。
このために、シロップノズル、希釈冷水ノズル、炭酸水ノズルなどのコールド飲料注出用のノズルは、カップに対する注出角度（カップの内壁面に当てる角度）を厳しく規定した位置に配設して、ガスボリューム、ブリックスなどのコールド飲料の特性を十分に引き出すようにしている。
【０００３】
このように、シロップノズル、希釈冷水ノズル、炭酸水ノズルなどは、ガスボリューム、ブリックスなどのコールド飲料の特性を十分に引き出すことができるようにカップに対する配設位置が厳しく規定され、ノズル先端部の吐出口をほぼ垂直にカットしている（例えば、特許文献１参照）。
【特許文献１】特開２００１−１１８１４０号公報
【発明の開示】
【発明が解決しようとする課題】
【０００４】
特に、炭酸水は水に溶けている炭酸ガスが分離し易いため、ノズル内での炭酸水の流れが急変しないように形作られ、図４で示すように、炭酸水ノズル５０は吐出口５１をほぼ垂直にカットしたカット面５２下端に切り欠き５３を設けることにより２ヶ所の先端５４を形成し、取付部５５で取付金具（図示せず）に固定される。コールド飲料、例えば、炭酸飲料調理時は、図５に示すように、炭酸水ノズル５０の吐出口５１から図中実線矢印で示すようにカップ３内に勢いよく炭酸水を吐出してカップに注出し、炭酸水注出動作の終了直後にも炭酸水が吐出口５１の先端５４からカップ３内に滴下するように、吐出口５１の先端５４をカップ３の内側に臨むように配設している。
しかしながら、炭酸水注出動作の終了直後の炭酸水が表面張力によりノズル底面に維持され、図中点線矢印で示すように後垂れが生じてカップの縁を汚す虞がある。
【０００５】
このように炭酸水注出動作の終了直後の後垂れがカップの縁に流下すると見た目が悪くなるとともに、後垂れがカップ外側面に流れると、利用者が該カップをカップ式飲料自動販売機から取り出すときに手に炭酸水が付着するなどの不都合が生じる虞がある。
本発明は、上記実情に鑑みて、液体注出動作の終了直後にもカップの縁を汚すことがないカップ式飲料自動販売機の注出ノズルを提供することを目的とする。
【課題を解決するための手段】
【０００６】
上記目的を達成するため、本発明の請求項１に係るカップ式飲料自動販売機の注出ノズルは、機内で調理した飲料や希釈水などの液体をカップに注出して販売に供するカップ式飲料自動販売機の注出ノズルであり、該注出ノズルの吐出口をカップの内方に向けて前傾姿勢に配設したものにおいて、
前記注出ノズルの吐出口外形下端に前記カップの外方に向けて下向きに傾斜する底面を有する液体ガイドを設け、前記液体注出動作の終了直後に後垂れする液体の液滴を該液体ガイドの傾斜する底面に沿わせて流下させて前記カップ外に滴下させるようにしたことを特徴とする。
また、本発明の請求項２に係るカップ式飲料自動販売機の注出ノズルは、上述した請求項１において、前記液体ガイドの底面に前記カップの外方に向けて下向きに傾斜する液体誘導溝を設けたことを特徴とする。
【発明の効果】
【０００７】
請求項１の発明によれば、注出ノズルの吐出口外形下端にカップの外方に向けて下向きに傾斜する底面を有する液体ガイドを設けたことにより、炭酸水注出動作時は炭酸水をカップ内に注出することができ、炭酸水注出動作の終了直後に後垂れする炭酸水の液滴は液体ガイドの傾斜する底面に沿わせて流下させてカップ外に滴下させることにより、液体注出動作の終了直後にもカップの縁を汚すことがないカップ式飲料自動販売機の注出ノズルを実現することができる。
また、請求項２の発明によれば、液体ガイドの底面にカップの外方に向けて下向きに傾斜する液体誘導溝を設けたことにより、後垂れする液滴が液体誘導溝を流下してカップ外に滴下するようにできる。
【発明を実施するための最良の形態】
【０００８】
以下に添付図面を参照して、本発明に係るカップ式飲料自動販売機の注出ノズルの好適な実施の形態を詳細に説明する。なお、この実施の形態によりこの発明が限定されるものではない。
図１は、本発明の実施の形態である注出ノズルを備えたカップ式飲料自動販売機１の回路構成を示す概念図である。
希釈液供給回路５は、製氷機６、カーボネータ１８や温水タンク６０などに水を供給するためのもので、水リザーバ１０、水ポンプ１１、給水弁１２を有している。給水弁１２を開放すると水道水が水リザーバ１０に貯えられ、水ポンプ１１を駆動することによって冷水回路１３または温水回路１４に水が圧送される。冷水回路１３に送られた水は、冷却水槽１５に貯留している冷却水に浸漬した水冷却コイル１６を通流することにより冷却される。
【０００９】
水冷却コイル１６には給水弁１７と冷水管路１９とが接続してあり、給水弁１７にはカップ３に炭酸水を供給するカーボネータ１８が接続され、水ポンプ１１を駆動して給水弁１７を開放するとカーボネータ１８に冷水が供給される。
カーボネータ１８は、冷却水槽１５に浸漬してあり、炭酸ガスボンベ２２から供給された炭酸ガスが冷水に溶解して炭酸水となる。また、カーボネータ１８には、炭酸水弁２３を介して炭酸水ノズル４０が接続してあり、炭酸水弁２３を開放すると、炭酸ガスボンベ２２から供給される炭酸ガスの圧力でカーボネータ１８から押し出された炭酸水が炭酸水ノズル４０からカップ３に注出される。
冷水管路１９には、冷水弁２０を介して希釈冷水ノズル２１が接続してあり、コールド飲料注出時（販売時）には水ポンプ１１を駆動して冷水弁２０を開放すると、希釈冷水ノズル２１からカップ３に冷水を注出する。
【００１０】
また、冷却水槽１５には、複数のシロップ冷却コイル３２が浸漬してあり、シロップ飲料の原液となる各種のシロップがそれぞれ貯蔵してある複数のシロップコンテナ３０がシロップ売切装置３６を介して接続してある。各シロップコンテナ３０は、それぞれ、炭酸ガスボンベ２２から炭酸ガスが供給され、シロップ弁３３を介してシロップノズル３４が接続してある。そして、シロップ弁３３を開放すると、シロップコンテナ３０に貯蔵してあるシロップが炭酸ガスボンベ２２から供給される炭酸ガスの圧力で押し出され、シロップ売切装置３６からシロップ冷却コイル３２を通流したシロップは冷却されて、シロップノズル３４からカップ３に注出される。
製氷機６は、製氷部と貯氷庫とを有していて、水リザーバ１０から供給された水を製氷して貯氷庫で貯蔵し、アイス飲料を販売するときに貯氷庫に貯蔵している氷をアイスダクト（図示せず）を介してカップ３に供給する。
【００１１】
給水弁２５を介して温水回路１４に供給された水は、温水タンク６０に貯えられ、温水タンク６０内でヒータ（図示せず）で加熱されて湯になる。温水タンク６０には、複数の湯弁６１が設けてある。各湯弁６１は、湯管路６２によってミキシングボール６３、ミキシングボール６８またはブリュア６７に接続してあり、湯弁６１を開放することにより、湯管路６２を通って、ミキシングボール６３、ミキシングボール６８またはブリュア６７に湯が供給される。
ミキシングボール６３は、パウダキャニスタ６４から供給された粉末原料と、温水タンク６０から供給された湯とを攪拌してホット飲料とした後に、ホット飲料ノズル６５からカップ３に注出する。
ブリュア６７は、コーヒー豆キャニスタ６５から供給されたコーヒー豆をミル６６で挽いた挽き豆に温水タンク６０から供給された湯を注ぐことによりコーヒー飲料を抽出し、抽出滓は滓バケツ７１に廃棄される。また、ミキシングボール６８が接続してあり、砂糖、クリームなどの粉末原料を貯蔵するパウダキャニスタ６９から供給された粉末原料とコーヒー飲料を攪拌した後に、コーヒー飲料ノズル７０からカップ３に注出する。
【００１２】
以上説明したカップ式飲料自動販売機１において、ベンドステージ２に載置したカップ３にコーヒー飲料を注出するには、コーヒー豆キャニスタ６５から供給されたコーヒー豆をミル６６で挽いた挽き豆をブリュア６７に供給する一方、湯弁６１を開放して温水タンク６０に貯えている湯を湯管路６２を介して供給する。そして、挽き豆と湯の混合体からコーヒー飲料を抽出し、ミキシングボール６８にコーヒー飲料を供給する。ミキシングボール６８では、パウダキャニスタ６９から砂糖、クリームなどの粉末原料を、さらに飲料の種類によっては温水タンク６０に貯えている湯を加えて攪拌混合した後に、コーヒー飲料ノズル７０からカップ３にコーヒー飲料を注出する。
また、コールド飲料、例えば炭酸飲料を供給するには、シロップノズル３４から濃縮シロップを、炭酸水ノズル４０から炭酸水を、さらに氷をカップの中に供給し、カップ内で原料を攪拌して炭酸飲料とするようにしている。
【００１３】
図２は、炭酸水ノズル（注出ノズル）４０を示すもので、その吐出口４１をほぼ垂直にカットしたカット面４２と、吐出口４１外形下端には傾斜面の底面４４に液体誘導溝４５を有する液体ガイド４３を設け、取付部４６で取付金具（図示せず）に固定される。
図３は、炭酸水ノズル４０の断面側面図を示し、吐出口４１外形下端にカップ３の外方に向けて下向きに傾斜する底面４４に液体誘導溝４５を設けた液体ガイド４３を有する炭酸水ノズル４０をカップ３の上方に配設している。このように炭酸水ノズル４０の吐出口４１の外形下端にカップ３の外方に向けて下向きに傾斜する液体誘導溝４５を設けた底面４４を有する液体ガイド４３を設けたので、炭酸水注出動作時は図中実線矢印で示すように炭酸水をカップ３内に注出することができ、炭酸水注出動作の終了直後に後垂れする炭酸水の液滴は、図中点線矢印で示すように液体ガイド４３の傾斜する底面４４の液体誘導溝４５に沿わせて流下させてカップ３外に滴下させることにより、液体注出動作の終了直後にもカップの縁を汚すことがないカップ式飲料自動販売機の注出ノズルを提供することができる。
【図面の簡単な説明】
【００１４】
【図１】本発明の実施の形態である注出ノズルを備えたカップ式飲料自動販売機の回路構成を示す概念図である。
【図２】図１に示したカップ式飲料自動販売機の注出ノズルを示す図である。
【図３】図１に示した注出ノズルから炭酸水を注出する断面側面図である。
【図４】従来のカップ式飲料自動販売機の注出ノズルを示す図である。
【図５】図４に示した注出ノズルから炭酸水を注出する断面側面図である。
【符号の説明】
【００１５】
１      カップ式飲料自動販売機
３      カップ
１８      カーボネータ
２３      炭酸水弁
４０      炭酸水ノズル
４１      吐出口
４２      カット面
４３      液体ガイド
４４      底面
４５      液体誘導溝
６０      温水タンク
６７      ブリュア
【図１】
2007141147.tif 000003
【図２】
2007141147.tif 000004
【図３】
2007141147.tif 000005
【図４】
2007141147.tif 000006
【図５】
2007141147.tif 000007